(57)【要約】【課題】フィルターの細塵の目詰まり具合を容易に知ることが出来る集塵ボックスを提供する。【解決手段】塵埃を捕集すると共に、電気掃除機に内蔵された電動送風機（図示せず）に連通する集塵ボックス収納部３に着脱自在に装着される集塵ボックス８において、前記集塵ボックス８は、前記集塵ボックス８の持ち手となると共に上下に摺動自在のハンドル部４０と、粗ゴミを捕集する薄板１１と、細塵を捕集するフィルター１３を備え、前記フィルター１３の細塵を捕集する面の少なくとも一部が、窓部２２を通して外部から見ることが出来るようにしたもので、フィルター１３の細塵の目詰まり具合を、外部から容易に知ることが出来る。【選択図】図１
2010167172.tif 000002
【特許請求の範囲】
【請求項１】
電気掃除機に内蔵された電動送風機に連通する集塵ボックス収納部に着脱自在に装着される集塵ボックスにおいて、前記集塵ボックスは、塵埃を含んだ吸引風を導入する吸気口と、前記吸引風に含まれる粗ゴミを捕集する第一のフィルターと、前記第一のフィルターを通過した吸引風に含まれる細塵を捕集する第二のフィルターと、前記第二のフィルターの捕集面の少なくとも一部を外部から可視可能な窓部を備えたことを特徴とする集塵ボックス。
【請求項２】
集塵ボックスは、前記集塵ボックスの持ち手となると共に上下に摺動自在のハンドル部を備え、前記ハンドル部が下方に位置した時に、窓部から第二のフィルターの捕集面が見えるようにした請求項１に記載の集塵ボックス。
【請求項３】
窓部を、第二のフィルターの細塵が最も付着しやすい箇所が可視可能な位置に設けたことを特徴とする請求項１または２に記載の集塵ボックス。
【請求項４】
窓部を、第二のフィルターの細塵が最も付着しにくい箇所が可視可能な位置に設けたことを特徴とする請求項１または２に記載の集塵ボックス。
【請求項５】
請求項１〜４のいずれか１項に記載の集塵ボックスと、前記集塵ボックスが装着される集塵ボックス収納部と、前記集塵ボックス収納部と連通すると共に、前記集塵ボックス内に空気を吸引するための電動送風機を備えた電気掃除機。
【発明の詳細な説明】
【技術分野】
【０００１】
本発明は、電気掃除機に着脱自在に装着される集塵ボックスと、それを備えた電気掃除機に関するものである。
【背景技術】
【０００２】
従来の電気掃除機の塵埃を捕集する集塵ボックスは、本体部と、粗ゴミを捕集する略平面状の第一のフィルターと、その下流に配されると共に、プリーツ状で、細塵を捕集する第二のフィルターを備えたものであった（例えば、特許文献１参照）。
【特許文献１】特公昭６１−０４９９６８号公報
【発明の開示】
【発明が解決しようとする課題】
【０００３】
しかしながら、上記特許文献１に記載された従来の電気掃除機の構成では、通常プリーツ状の第二のフィルターの谷部分に塵埃が蓄積されたものを、レバー体にてフィルターに振動を与えて塵埃を除去するものであり、通常の使用では、集塵ボックス内の第一のフィルターに捕集された粗ゴミを捨てるが、第二のフィルターに捕集されている細塵は、ゴミ捨て報知等の機能では利用者は知ることが出来なかった。また、第二のフィルターに付着した塵埃を除去しないために、目詰まりが早まったり、粗ゴミの入る量が減ったりと、第二のフィルターを掃除しない場合は使い勝手の悪いものであり、利用者に第二のフィルターの目詰まりを知らせる必要があった。
【０００４】
しかしながら、利用者へのゴミ捨て報知のみだけでは、第二のフィルターの状態が利用者にとって分からないと言う課題があった。また、集塵ボックスの外郭部全体を透明材料にて構成し、第一のフィルターにて捕集された粗ゴミを見せる構成の集塵ボックスもあるが、やはり、第二のフィルターの捕集面が見えないという課題があった。
【０００５】
本発明は、上記従来の課題を解決するもので、第一のフィルターで捕集された粗ゴミの量に関係なく、第二のフィルターの細塵の目詰まり具合を容易に知ることが出来る電気掃除機を提供することを目的とするものである。
【課題を解決するための手段】
【０００６】
上記従来の課題を解決するために本発明の集塵ボックスは、電気掃除機に内蔵された電動送風機に連通する集塵ボックス収納部に着脱自在に装着される集塵ボックスにおいて、前記集塵ボックスは、塵埃を含んだ吸引風を導入する吸気口と、前記吸引風に含まれる粗ゴミを捕集する第一のフィルターと、前記第一のフィルターを通過した吸引風に含まれる細塵を捕集する第二のフィルターと、前記第二のフィルターの捕集面の少なくとも一部を外部から可視可能な窓部を備えたことを特徴とするもので、第二のフィルターの細塵の目詰まり具合を、外部から容易に知ることが出来ると共に、利用者に第二のフィルターの清掃を促すことが出来る。
【０００７】
また、本発明の電気掃除機は、請求項１〜４のいずれか１項に記載の集塵ボックスと、前記集塵ボックスが装着される集塵ボックス収納部と、前記集塵ボックス収納部と連通すると共に、前記集塵ボックス内に空気を吸引するための電動送風機を備えたもので、第二のフィルターの細塵の目詰まり具合を外部から容易に知ることが出来る、使用勝手の良い電気掃除機を提供することが出来る。
【発明の効果】
【０００８】
本発明の集塵ボックス及び電気掃除機は、電気掃除機使用時でも常に第二のフィルターの状態を知ることができ、更にゴミ捨て操作時の集塵ボックスの持ち手部を持つ動作を行う際でも、第二のフィルターに蓄積された塵埃の付着具合を容易に確認出来ると共に、利用者に第二のフィルターの清掃を促すことが出来、利便性に優れたものである。
【発明を実施するための最良の形態】
【０００９】
第１の発明は、電気掃除機に内蔵された電動送風機に連通する集塵ボックス収納部に着脱自在に装着される集塵ボックスにおいて、前記集塵ボックスは、塵埃を含んだ吸引風を導入する吸気口と、前記吸引風に含まれる粗ゴミを捕集する第一のフィルターと、前記第一のフィルターを通過した吸引風に含まれる細塵を捕集する第二のフィルターと、前記第二のフィルターの捕集面の少なくとも一部を外部から可視可能な窓部を備えたことを特徴とするもので、第二のフィルターの細塵の目詰まり具合を、外部から容易に知ることが出来ると共に、利用者に第二のフィルターの清掃を促すことが出来る。
【００１０】
第２の発明は、特に、第１の発明において、集塵ボックスは、前記集塵ボックスの持ち手となると共に上下に摺動自在のハンドル部を備え、前記ハンドル部が下方に位置した時に、窓部から第二のフィルターの捕集面が見えるようにしたもので、集塵ボックスを掃除機本体に収納したままでも第二のフィルターの細塵のたまり具合が確認でき、また、ごみ捨て操作を行う利用者に視覚的に知らせることができる。
【００１１】
第３の発明は、特に、第１又は２の発明において、窓部を、第二のフィルターの細塵が最も付着しやすい箇所が可視可能な位置に設けたことを特徴とするもので、第二のフィルターの目詰まりを早期に利用者に知らせることができる。
【００１２】
第４の発明は、特に、第１又は２の発明において、窓部を、第二のフィルターの細塵が最も付着しにくい箇所が可視可能な位置に設けたことを特徴とするもので、第二のフィルターの目詰まりの限界を利用者に容易に知らせることができる。
【００１３】
第５の発明は、請求項１〜４のいずれか１項に記載の集塵ボックスと、前記集塵ボックスが装着される集塵ボックス収納部と、前記集塵ボックス収納部と連通すると共に、前記集塵ボックス内に空気を吸引するための電動送風機を備えたもので、第二のフィルターの細塵の目詰まり具合を外部から容易に知ることが出来る、使用勝手の良い電気掃除機を提供することが出来る。
【００１４】
以下、本発明の実施の形態について、図面を参照しながら説明する。なお、この実施の形態によって本発明が限定されるものではない。
【００１５】
（実施の形態１）
図１は、本発明の実施の形態１における集塵ボックスを搭載した電気掃除機の要部断面図、図２は、同集塵ボックスを掃除機本体に収納した時の斜視図、図３は、同集塵ボックスを後方から見た図、図４は、図１のＡ−Ａ断面図、図５は、同集塵ボックスのハンドル部を押し下げたときの全体斜視図、図６は、同集塵ボックス全体の斜視図である。
【００１６】
図１〜６において、１は、前方に吸気口２を有する集塵ボックス収納部３を、後方に電動送風機（図示しない）を有する電動送風機室（図示しない）をそれぞれ具備した掃除機本体で、吸気口２には、掃除機本体１にホース（図示せず）を接続したときのエアータイト用に、パッキンＡ４を具備している。
【００１７】
集塵ボックス収納部３内には、集塵ボックス８が収納されている。集塵ボックス８は、連通穴９が設けられた本体部１０と、本体部１０の後方に配されると共に、メッシュもしくは多孔質に形成され第一のフィルターとなる薄板１１を形成した蓋体部Ａ１２と、その下流に配され、プリーツ加工され、第二のフィルターであるフィルター１３を形成する蓋体部Ｂ１４とを備え、蓋体部Ｂ１４は、本体部１０に形成された溝部１５で保持されている。
【００１８】
蓋体部Ａ１２は、本体部１０に爪部（図示せず）で係止しており、蓋体部Ｂ１４は、蓋体部Ｂ１４の爪部１７に本体部１０の係止部１６が引っ掛ることで、本体部１０に固定され使用時の形態となる。
【００１９】
また、本体部１０の下部にゴミ捨て時に後方部を支点として回動自在に設けた蓋体Ｃ３１がある。この蓋体Ｃ３１の外周前後に形成された、タイトパッキンＡ１８により、本体部１０と蓋体Ｃ３１とがエアータイトされる構成となっている。また、本体部１０の上方にある押出し面１９と、押出し面１９を下方へ摺動させる押出し操作部２０は、蓋体Ｃ３１と連動しており、押出し操作部２０を下方に押すことにより、本体部１０の下方にある蓋体Ｃ３１も下方へと開き、本体部１０内に溜まった粗ゴミ２３が本体部１０より排出される。
【００２０】
この排出動作と同時に、細塵２４も同時に本体部１０より下方へと排出される。本体部１０には、本体部１０の持ち手となるハンドル部４０を備えており、ハンドル部４０は、上下に摺動することができる。なお、このハンドル部４０は、本体部１０の上部に形成された凹部１０ａに収納されるようになっており、この凹部１０ａの後方には、本体部１０を形成する集塵ボックス８の一部である透明部品で形成された窓部２２が設けてあり、ハンドル部４０が下方に下がった状態において、窓部２２からフィルター１３の捕集面１３ａを視認することができる。集塵ボックス８と集塵ボックス収納部３とのエアータイトは、前方をパッキンＡ４と本体部１０、後方を蓋体部Ｂ１４と集塵ボックス収納部３に形成されたタイトパッキンＢ３５によりタイトされたものである。なお、タイトパッキンＡ１８と、タイトパッキンＢ３５、パッキンＡ４は、タイト構成として使用される部品でありそれぞれのパッキンが当接するいずれかの部品に構成されてもタイト構成できる。
【００２１】
また、図２は、集塵ボックス８が掃除機本体１にセットされた状態を示すもので、掃除機本体１は、掃除機本体１を移動する為の車輪５１と、掃除機本体１を持ち運ぶ為の本体取っ手部５２を備えている。また、集塵ボックス８の窓部２２は、掃除機本体１にセットした状態でも外部から見えるようになっている。
【００２２】
次に、図３は、本体部１０を後方から見た図であり、図４は、図１のＡ−Ａ断面図である。図３において、２１は、プリーツ状に形成されたフィルター１３の下流面側で、蓋体部Ｂ１４と保持部材２６にて摺動可能に保持されたレバー体である。レバー体２１を左右に動かすことにより、フィルター１３に振動を与え、細塵２４を下方へと落とすことができる。
【００２３】
以上のように構成された本実施の形態における集塵ボックスを搭載した電気掃除機について、以下その動作、作用を説明する。
【００２４】
図１のように、電動送風機（図示しない）の吸引風と塵埃は、吸気口２、連通穴９を通過し、集塵ボックス８の本体部１０に到達する。その後蓋体部Ａ１２に形成されたメッシュもしくは多孔質に形成された薄板１１により、塵埃の粗ゴミ２３が捕集される。
【００２５】
メッシュもしくは多孔質に形成された薄板１１を通過した細塵２４は、蓋体部Ｂ１４のプリーツ加工されたフィルター１３により捕集され、空気のみが電動送風機室（図示しない）を経て掃除機本体１外に排出される。次に、図３のように、レバー体２１を左右に摺動させることで、レバー体２１の振動発生部２５によりフィルター１３に振動を与え、フィルター１３に蓄積した細塵２４を除去するものである。
【００２６】
また、図２のように、集塵ボックス８の窓部２２が、掃除機本体１の使用状態にかかわらず、常に見えており、フィルター１３に蓄積された細塵２４を見ることができる。集塵ボックス８が、掃除機本体１に収納された状態では、プリーツ加工されたフィルター１３が見えるので、フィルター１３に溜まった塵埃２４の状況を知ることができ、さらに利用者がゴミ捨ての際にハンドル部４０を引き上げる必要がある。
【００２７】
図５は、ハンドル部４０が利用状態であり、利用者が掃除機本体１から集塵ボックス８を取り出すためには、ハンドル部４０を格納状態から必ず引上げなければならないが、その際に窓部２２を見ることになるので、必ず、フィルター１３に溜まった細塵２４の量が利用者の目に留まる。そのため、利用者に、フィルター１３に溜まった細塵２４を除去する動作を確実に促すことができる。
【００２８】
なお、窓部２２を、フィルター１３の細塵が最も付着しやすい箇所が見えるように配置すれば、フィルター１３の目詰まりを早期に利用者に知らせることができる。
【００２９】
また、窓部２２を、フィルター１３の細塵が最も付着しにくい箇所が見えるように配置すれば、フィルター１３の目詰まりの限界を利用者に容易に知らせることができる。
【産業上の利用可能性】
【００３０】
以上のように、本発明にかかる集塵ボックス及び電気掃除機は、使用者がフィルターに蓄積された塵埃を除去する動作を促し、集塵ボックスの使用性を向上し、特に家庭、業務用等の電気掃除機に有用である。
【図面の簡単な説明】
【００３１】
【図１】本発明の実施の形態１における集塵ボックスを搭載した電気掃除機の要部断面図
【図２】同集塵ボックスを掃除機本体に収納した時の斜視図
【図３】同集塵ボックスを後方から見た図
【図４】図１のＡ−Ａ断面図
【図５】同集塵ボックスのハンドル部を押し下げたときの全体斜視図
【図６】同集塵ボックス全体の斜視図
【符号の説明】
【００３２】
２      吸気口
３      集塵ボックス収納部
８      集塵ボックス
１０    本体部
１１    薄板（第一のフィルター）
１２    蓋体部Ａ
１３    フィルター（第二のフィルター）
１３ａ  捕集面
１４    蓋体部Ｂ
２１    レバー体
２２    窓部
２３    粗ゴミ
２４    細塵
２５    振動発生部
３０    保持部
３１    蓋体Ｃ
４０    ハンドル部
【図１】
2010167172.tif 000003
【図２】
2010167172.tif 000004
【図３】
2010167172.tif 000005
【図４】
2010167172.tif 000006
【図５】
2010167172.tif 000007
【図６】
2010167172.tif 000008